(57)【特許請求の範囲】
【請求項１】
インバータ出力電圧をファンモータに印加することによりファンモータを駆動するに当たって、
起動開始時のファンモータの回転数を検出し、検出した回転数に基づいてモータ印加電圧を決定し、決定したモータ印加電圧を用いてファンモータを起動することを特徴とするファンモータ制御方法。
【請求項２】
インバータのデューティーを変化させることにより、決定したモータ印加電圧をファンモータに印加する請求項１に記載のファンモータ制御方法。
【請求項３】
インバータのデューティー値をインバータの直流電圧値に応じて補正する請求項２に記載のファンモータ制御方法。
【請求項４】
モータ印加電圧を、昇圧時の直流電圧がインバータ回路素子の安全動作領域内となる値に設定する請求項１から請求項３の何れかに記載のファンモータ制御方法。
【請求項５】
モータ印加電圧を、昇圧動作が行われない値に設定する請求項４に記載のファンモータ制御方法。
【請求項６】
モータ印加電圧を、モータ誘起電圧よりも大きい値に設定する請求項４または請求項５に記載のファンモータ制御方法。
【請求項７】
モータ印加電圧を、起動電流値が運転時最大電流値よりも小さくなる値に設定する請求項１から請求項３の何れかに記載のファンモータ制御方法。
【請求項８】
モータ印加電圧を、無風運転時におけるモータ印加電圧よりも小さい値に設定する請求項７に記載のファンモータ制御方法。
【請求項９】
インバータの上アーム駆動用電源をブートストラップ動作により作成し、インバータのデューティー値を、上アーム電圧不足とならない値に設定する請求項１から請求項３の何れかに記載のファンモータ制御方法。
【請求項１０】
起動直後からＰＩ制御を行ってインバータのデューティーを変化させる請求項１から請求項９の何れかに記載のファンモータ制御方法。
【請求項１１】
起動時と通常運転時とでインバータから出力される駆動波形を変更し、かつ駆動波形切替時にインバータのデューティー値を変更する請求項１０に記載のファンモータ制御方法。
【請求項１２】
駆動波形切替時のモータ電流ピーク値が最小となるようにインバータのデューティー値を変更する請求項１１に記載のファンモータ制御方法。
【請求項１３】
起動時の回転数に基づいてインバータから出力される駆動波形を決定する請求項１から請求項１２の何れかに記載のファンモータ制御方法。
【請求項１４】
ファンモータはブラシレスＤＣモータである請求項１から請求項１３の何れかに記載のファンモータ制御方法。
【請求項１５】
ファンモータにより空気調和機に含まれるファンを駆動する請求項１から請求項１４の何れかに記載のファンモータ制御方法。
【請求項１６】
インバータ出力電圧をファンモータ（３）に印加することによりファンモータ（３）を駆動するものであって、
起動開始時のファンモータ（３）の回転数を検出する回転数検出手段（５）と、
検出した回転数に基づいてモータ印加電圧を決定する印加電圧決定手段（７）と、
決定したモータ印加電圧を用いてファンモータ（３）を起動する起動手段（８）（２ｂ）（２ａ）と
を含むことを特徴とするファンモータ制御装置。
【請求項１７】
前記印加電圧決定手段（７）は、インバータ（２ａ）のデューティーを変化させることにより、決定したモータ印加電圧をファンモータ（３）に印加するものである請求項１６に記載のファンモータ制御装置。
【請求項１８】
前記印加電圧決定手段（７）は、インバータ（２ａ）のデューティー値をインバータ（２ａ）の直流電圧値に応じて補正する補正手段（７）をさらに含むものである請求項１７に記載のファンモータ制御装置。
【請求項１９】
前記印加電圧決定手段（７）は、モータ印加電圧を、昇圧時の直流電圧がインバータ回路素子の安全動作領域内となる値に設定するものである請求項１６から請求項１８の何れかに記載のファンモータ制御装置。
【請求項２０】
前記印加電圧決定手段（７）は、モータ印加電圧を、昇圧動作が行われない値に設定するものである請求項１９に記載のファンモータ制御装置。
【請求項２１】
前記印加電圧決定手段（７）は、モータ印加電圧を、モータ誘起電圧よりも大きい値に設定するものである請求項１９または請求項２０に記載のファンモータ制御装置。
【請求項２２】
前記印加電圧決定手段（７）は、モータ印加電圧を、起動電流値が運転時最大電流値よりも小さくなる値に設定するものである請求項１６から請求項１８の何れかに記載のファンモータ制御装置。
【請求項２３】
前記印加電圧決定手段（７）は、モータ印加電圧を、無風運転時におけるモータ印加電圧よりも小さい値に設定するものである請求項２２に記載のファンモータ制御装置。
【請求項２４】
インバータ（２ａ）の上アーム駆動用電源をブートストラップ動作により作成する電源作成手段をさらに含み、前記印加電圧決定手段（７）は、インバータ（２ａ）のデューティー値を、上アーム電圧不足とならない値に設定するものである請求項１６から請求項１８の何れかに記載のファンモータ制御装置。
【請求項２５】
起動直後からＰＩ制御を行ってインバータ（２ａ）のデューティーを変化させるデューティー変更手段（７）をさらに含む請求項１６から請求項２４の何れかに記載のファンモータ制御装置。
【請求項２６】
起動時と通常運転時とでインバータ（２ａ）から出力される駆動波形を変更する駆動波形変更手段（８）をさらに含み、前記デューティー変更手段（７）は、駆動波形切替時にインバータ（２ａ）のデューティー値を変更するものである請求項２５に記載のファンモータ制御装置。
【請求項２７】
前記デューティー変更手段（７）は、駆動波形切替時のモータ電流ピーク値が最小となるようにインバータ（２ａ）のデューティー値を変更するものである請求項２６に記載のファンモータ制御装置。
【請求項２８】
起動時の回転数に基づいてインバータ（２ａ）から出力される駆動波形を決定する駆動波形決定手段（８）をさらに含む請求項１６から請求項２７の何れかに記載のファンモータ制御装置。
【請求項２９】
ファンモータ（３）はブラシレスＤＣモータ（３）である請求項１６から請求項２８の何れかに記載のファンモータ制御装置。
【請求項３０】
ファンモータ（３）は空気調和機に含まれるファンを駆動するものである請求項１６から請求項２９の何れかに記載のファンモータ制御装置。
【発明の詳細な説明】
【０００１】
【発明の属する技術分野】
この発明はファンモータ制御方法およびその装置に関し、さらに詳細にいえば、インバータ出力電圧をファンモータに印加することによりファンモータを駆動する方法およびその装置に関する。
【０００２】
【従来の技術】
近年、空気調和機に使用されるファンモータにおいて、消費電力低減の観点からインバータで駆動されるブラシレスＤＣモータを採用することが多くなってきている。そして、ファンモータに使用されるブラシレスＤＣモータは、インバータで回転数制御を行うことができるので、外部負荷の大小に拘わらず回転数を指令通りに制御することができ、速度制御の観点における制御性能を向上させることができる。
【０００３】
また、保護の観点からは、過電流時に停止するという動作によってファンモータあるいはそのドライバの保護がなされている。
【０００４】
さらに説明する。
【０００５】
図１１は１２０度通電方式を適用した従来の空気調和機用ファンモータ制御装置を示す概略図である。
【０００６】
このファンモータ制御装置は、ゲートドライブ回路からのゲートドライブ信号によってインバータ主回路の各相の上アームトランジスタ、下アームトランジスタをスイッチングするようにした電圧型ＰＷＭ（パルス幅変調）インバータからの各相出力をブラシレスＤＣモータの対応する相の固定子巻線に供給し、ブラシレスＤＣモータの回転子によりファンを回転させるようにしている。前記インバータ主回路に印加される直流電圧は、整流回路を用いることにより、ＡＣ電源から作成することができる。
【０００７】
そして、ブラシレスＤＣモータの内部には、逆起電圧と一定の位相関係にある１２０度毎に配置されたホールセンサＨｕ、Ｈｖ、Ｈｗが設けられており、これらのホールセンサＨｕ、Ｈｖ、Ｈｗからの出力信号から電気角６０度毎の位置信号が得られる｛図１２中（Ｂ）参照｝。なお、モータの各相誘起電圧と位置信号との関係は図１２中（Ａ）（Ｂ）に示すとおりである。
【０００８】
これらの位置信号を回転数演算部に供給して、例えば、位置信号どうしの時間間隔から実回転数の演算を行い、外部から与えられる回転数指令ｖ＊と算出された実回転数とをデューティー演算部に供給することにより、両者の偏差を算出し、算出された偏差に対応するデューティー指令Ｄ＊を出力して、駆動信号作成部に供給する。この駆動信号作成部には、前記位置信号も供給されているので、位置信号に対してパターン認識または論理演算を行うことによって、１２０度通電を行うためのドライブ信号Ｇｕ、Ｇｖ、Ｇｗ、Ｇｘ、Ｇｙ、Ｇｚを作成することができる｛図１２中（Ｃ）参照｝。
【０００９】
したがって、これらのドライブ信号によりインバータ主回路の各相のトランジスタのオンオフを行い、ブラシレスＤＣモータの固定子巻線に電圧を供給する。
【００１０】
上記のとおり回転子位置に同期した電圧を固定子巻線に印加することでブラシレスＤＣモータを駆動し、ファンを回転させることができる。
【００１１】
また、インバータの直流電流を検出し、直流電流が過電流であった場合に、過電流保護回路によってゲート信号を停止させるべくゲートドライブ回路を制御し、ひいてはブラシレスＤＣモータを停止させてブラシレスＤＣモータ、インバータの保護を達成することができる。
【００１２】
具体的には、デューティー演算部においては、図１３のフローチャートに示すように、ステップＳＰ１において、起動動作中か否かを判定し、起動動作中と判定された場合には、ステップＳＰ２において、デューティーを起動時デューティー値に設定する。起動動作中か否かについては、例えば起動動作開始からの経過時間と現在の回転数から判定される。
【００１３】
逆に、ステップＳＰ１において起動動作中でないと判定された場合には、ステップＳＰ３において、ＰＩ演算（比例・積分演算）開始時か否かを判定し、ＰＩ演算開始時であると判定された場合には、ステップＳＰ４において、初期値を設定する。そして、ステップＳＰ３においてＰＩ演算開始時でないと判定された場合、またはステップＳＰ４の処理が行われた場合には、ステップＳＰ５において、指令回転数を考慮してＰＩ演算によるデューティー演算を行う。
【００１４】
そして、ステップＳＰ２の処理が行われた場合、またはステップＳＰ５の処理が行われた場合には、設定され、もしくは算出されたデューティーをデューティー指令として駆動信号作成部に供給する。
【００１５】
また、駆動信号作成部においては、図１４のフローチャートに示すように、ステップＳＰ１において、デューティー指令が０であるか否かを判定し、デューティー指令が０でないと判定された場合には、ステップＳＰ２において、駆動信号｛図１２中（Ｃ）参照｝を作成し、逆にデューティー指令が０であると判定された場合には、ステップＳＰ３において、停止信号｛図１５中（Ｃ）参照｝を作成する。
【００１６】
そして、ステップＳＰ２の処理が行われた場合、またはステップＳＰ３の処理が行われた場合には、作成した駆動信号または停止信号をゲートドライブ回路に供給する。
【００１７】
【発明が解決しようとする課題】
上記従来の空気調和機用ファンモータ制御装置においては、過電流時に停止させるという動作を行ってファンモータ、インバータ回路素子の保護がなされているだけであり、逆風などの外部負荷に対する制御性、あるいはそれに対応した保護は、起動時、運転時共になされていない。
【００１８】
【発明の目的】
この発明は上記の問題点に鑑みてなされたものであり、逆風などの外部負荷に対する制御性、あるいはそれに対応した保護を達成することができるファンモータ制御方法およびその装置を提供することを目的としている。
【００１９】
【課題を解決するための手段】
請求項１のファンモータ制御装置は、インバータ出力電圧をファンモータに印加することによりファンモータを駆動するに当たって、起動開始時のファンモータの回転数を検出し、検出した回転数に基づいてモータ印加電圧を決定し、決定したモータ印加電圧を用いてファンモータを起動する方法である。
【００２０】
請求項２のファンモータ制御方法は、インバータのデューティーを変化させることにより、決定したモータ印加電圧をファンモータに印加する方法である。
【００２１】
請求項３のファンモータ制御方法は、インバータのデューティー値をインバータの直流電圧値に応じて補正する方法である。
【００２２】
請求項４のファンモータ制御方法は、モータ印加電圧を、昇圧時の直流電圧がインバータ回路素子の安全動作領域内となる値に設定する方法である。
【００２３】
請求項５のファンモータ制御方法は、モータ印加電圧を、昇圧動作が行われない値に設定する方法である。
【００２４】
請求項６のファンモータ制御方法は、モータ印加電圧を、モータ誘起電圧よりも大きい値に設定する方法である。
【００２５】
請求項７のファンモータ制御方法は、モータ印加電圧を、起動電流値が運転時最大電流値よりも小さくなる値に設定する方法である。
【００２６】
請求項８のファンモータ制御方法は、モータ印加電圧を、無風運転時におけるモータ印加電圧よりも小さい値に設定する方法である。
【００２７】
請求項９のファンモータ制御方法は、インバータの上アーム駆動用電源をブートストラップ動作により作成し、インバータのデューティー値を、上アーム電圧不足とならない値に設定する方法である。
【００２８】
請求項１０のファンモータ制御方法は、起動直後からＰＩ制御を行ってインバータのデューティーを変化させる方法である。
【００２９】
請求項１１のファンモータ制御方法は、起動時と通常運転時とでインバータから出力される駆動波形を変更し、かつ駆動波形切替時にインバータのデューティー値を変更する方法である。
【００３０】
請求項１２のファンモータ制御方法は、駆動波形切替時のモータ電流ピーク値が最小となるようにインバータのデューティー値を変更する方法である。
【００３１】
請求項１３のファンモータ制御方法は、起動時の回転数に基づいてインバータから出力される駆動波形を決定する方法である。
【００３２】
請求項１４のファンモータ制御方法は、ファンモータとしてブラシレスＤＣモータを採用する方法である。
【００３３】
請求項１５のファンモータ制御方法は、ファンモータにより空気調和機に含まれるファンを駆動する方法である。
【００３４】
請求項１６のファンモータ制御装置は、インバータ出力電圧をファンモータに印加することによりファンモータを駆動するものであって、起動開始時のファンモータの回転数を検出する回転数検出手段と、検出した回転数に基づいてモータ印加電圧を決定する印加電圧決定手段と、決定したモータ印加電圧を用いてファンモータを起動する起動手段とを含むものである。
【００３５】
請求項１７のファンモータ制御装置は、前記印加電圧決定手段として、インバータのデューティーを変化させることにより、決定したモータ印加電圧をファンモータに印加するものを採用するものである。
【００３６】
請求項１８のファンモータ制御装置は、前記印加電圧決定手段として、インバータのデューティー値をインバータの直流電圧値に応じて補正する補正手段をさらに含むものを採用するものである。
【００３７】
請求項１９のファンモータ制御装置は、前記印加電圧決定手段として、モータ印加電圧を、昇圧時の直流電圧がインバータ回路素子の安全動作領域内となる値に設定するものを採用するものである。
【００３８】
請求項２０のファンモータ制御装置は、前記印加電圧決定手段として、モータ印加電圧を、昇圧動作が行われない値に設定するものを採用するものである。
【００３９】
請求項２１のファンモータ制御装置は、前記印加電圧決定手段として、モータ印加電圧を、モータ誘起電圧よりも大きい値に設定するものを採用するものである。
【００４０】
請求項２２のファンモータ制御装置は、前記印加電圧決定手段として、モータ印加電圧を、起動電流値が運転時最大電流値よりも小さくなる値に設定するものを採用するものである。
【００４１】
請求項２３のファンモータ制御装置は、前記印加電圧決定手段として、モータ印加電圧を、無風運転時におけるモータ印加電圧よりも小さい値に設定するものを採用するものである。
【００４２】
請求項２４のファンモータ制御装置は、インバータの上アーム駆動用電源をブートストラップ動作により作成する電源作成手段をさらに含み、前記印加電圧決定手段として、インバータのデューティー値を、上アーム電圧不足とならない値に設定するものを採用するものである。
【００４３】
請求項２５のファンモータ制御装置は、起動直後からＰＩ制御を行ってインバータのデューティーを変化させるデューティー変更手段をさらに含むものである。
【００４４】
請求項２６のファンモータ制御装置は、起動時と通常運転時とでインバータから出力される駆動波形を変更する駆動波形変更手段をさらに含み、前記デューティー変更手段として、駆動波形切替時にインバータのデューティー値を変更するものを採用するものである。
【００４５】
請求項２７のファンモータ制御装置は、前記デューティー変更手段として、駆動波形切替時のモータ電流ピーク値が最小となるようにインバータのデューティー値を変更するものを採用するものである。
【００４６】
請求項２８のファンモータ制御装置は、起動時の回転数に基づいてインバータから出力される駆動波形を決定する駆動波形決定手段をさらに含むものである。
【００４７】
請求項２９のファンモータ制御装置は、ファンモータとしてブラシレスＤＣモータを採用するものである。
【００４８】
請求項３０のファンモータ制御装置は、ファンモータとして空気調和機に含まれるファンを駆動するものを採用するものである。
【００４９】
【作用】
請求項１のファンモータ制御方法であれば、インバータ出力電圧をファンモータに印加することによりファンモータを駆動するに当たって、起動開始時のファンモータの回転数を検出し、検出した回転数に基づいてモータ印加電圧を決定し、決定したモータ印加電圧を用いてファンモータを起動するのであるから、ファンモータを確実に起動することができるとともに、必要以上に過電圧、過電流が発生することを防止し、外部負荷に対する十分な保護を達成することができる。
【００５０】
請求項２のファンモータ制御方法であれば、インバータのデューティーを変化させることにより、決定したモータ印加電圧をファンモータに印加するのであるから、請求項１と同様の作用を達成することができる。
【００５１】
請求項３のファンモータ制御方法であれば、インバータのデューティー値をインバータの直流電圧値に応じて補正するのであるから、請求項２の作用に加え、より確実に精度よく起動、保護を行うことができる。
【００５２】
請求項４のファンモータ制御方法であれば、モータ印加電圧を、昇圧時の直流電圧がインバータ回路素子の安全動作領域内となる値に設定するのであるから、請求項１から請求項３の何れかの作用に加え、安全動作を確保することができる。
【００５３】
請求項５のファンモータ制御方法であれば、モータ印加電圧を、昇圧動作が行われない値に設定するのであるから、請求項４の作用に加え、過電圧を防止することができる。
【００５４】
請求項６のファンモータ制御方法であれば、モータ印加電圧を、モータ誘起電圧よりも大きい値に設定するのであるから、請求項４または請求項５の作用に加え、昇圧動作を防止し、ひいては過電圧を防止することができる。
【００５５】
請求項７のファンモータ制御方法であれば、モータ印加電圧を、起動電流値が運転時最大電流値よりも小さくなる値に設定するのであるから、請求項１から請求項３の何れかの作用に加え、起動時に大電流が流れることを防止することができる。
【００５６】
請求項８のファンモータ制御方法であれば、モータ印加電圧を、無風運転時におけるモータ印加電圧よりも小さい値に設定するのであるから、請求項７と同様の作用を達成することができる。
【００５７】
請求項９のファンモータ制御方法であれば、インバータの上アーム駆動用電源をブートストラップ動作により作成し、インバータのデューティー値を、上アーム電圧不足とならない値に設定するのであるから、請求項１から請求項３の何れかの作用に加え、インバータの誤動作を防止することができる。
【００５８】
請求項１０のファンモータ制御方法であれば、起動直後からＰＩ制御を行ってインバータのデューティーを変化させるのであるから、請求項１から請求項９の何れかの作用に加え、起動直後から徐々にデューティーを増加させることに伴って起動時の過電流を防止することができる。
【００５９】
請求項１１のファンモータ制御方法であれば、起動時と通常運転時とでインバータから出力される駆動波形を変更し、かつ駆動波形切替時にインバータのデューティー値を変更するのであるから、請求項１０の作用に加え、波形切替時の過電流を防止することができる。
【００６０】
請求項１２のファンモータ制御方法であれば、駆動波形切替時のモータ電流ピーク値が最小となるようにインバータのデューティー値を変更するのであるから、請求項１１と同様の作用を達成することができる。
【００６１】
請求項１３のファンモータ制御方法であれば、起動時の回転数に基づいてインバータから出力される駆動波形を決定するのであるから、請求項１から請求項１２の何れかの作用に加え、安定な制御および振動、騒音の低減を達成することができる。
【００６２】
請求項１４のファンモータ制御方法であれば、ファンモータとしてブラシレスＤＣモータを採用するのであるから、請求項１から請求項１３の何れかの作用に加え、省エネルギーを達成することができる。
【００６３】
請求項１５のファンモータ制御方法であれば、ファンモータにより空気調和機に含まれるファンを駆動するのであるから、空気調和機に適用することにより、請求項１から請求項１４の何れかと同様の作用を達成することができる。
【００６４】
請求項１６のファンモータ制御装置であれば、インバータ出力電圧をファンモータに印加することによりファンモータを駆動するに当たって、回転数検出手段によって起動開始時のファンモータの回転数を検出し、印加電圧決定手段によって、検出した回転数に基づいてモータ印加電圧を決定し、起動手段によって、決定したモータ印加電圧を用いてファンモータを起動することができる。
【００６５】
したがって、ファンモータを確実に起動することができるとともに、必要以上に過電圧、過電流が発生することを防止し、外部負荷に対する十分な保護を達成することができる。
【００６６】
請求項１７のファンモータ制御装置であれば、前記印加電圧決定手段として、インバータのデューティーを変化させることにより、決定したモータ印加電圧をファンモータに印加するものを採用するのであるから、請求項１６と同様の作用を達成することができる。
【００６７】
請求項１８のファンモータ制御装置であれば、前記印加電圧決定手段として、インバータのデューティー値をインバータの直流電圧値に応じて補正する補正手段をさらに含むものを採用するのであるから、請求項１７の作用に加え、より確実に精度よく起動、保護を行うことができる。
【００６８】
請求項１９のファンモータ制御装置であれば、前記印加電圧決定手段として、モータ印加電圧を、昇圧時の直流電圧がインバータ回路素子の安全動作領域内となる値に設定するものを採用するのであるから、請求項１６から請求項１８の何れかの作用に加え、安全動作を確保することができる。
【００６９】
請求項２０のファンモータ制御装置であれば、前記印加電圧決定手段として、モータ印加電圧を、昇圧動作が行われない値に設定するものを採用するのであるから、請求項１９の作用に加え、過電圧を防止することができる。
【００７０】
請求項２１のファンモータ制御装置であれば、前記印加電圧決定手段として、モータ印加電圧を、モータ誘起電圧よりも大きい値に設定するものを採用するのであるから、請求項１９または請求項２０の作用に加え、昇圧動作を防止し、ひいては過電圧を防止することができる。
【００７１】
請求項２２のファンモータ制御装置であれば、前記印加電圧決定手段として、モータ印加電圧を、起動電流値が運転時最大電流値よりも小さくなる値に設定するものを採用するのであるから、請求項１６から請求項１８の何れかの作用に加え、起動時に大電流が流れることを防止することができる。
【００７２】
請求項２３のファンモータ制御装置であれば、前記印加電圧決定手段として、モータ印加電圧を、無風運転時におけるモータ印加電圧よりも小さい値に設定するものを採用するのであるから、請求項２２と同様の作用を達成することができる。
【００７３】
請求項２４のファンモータ制御装置であれば、インバータの上アーム駆動用電源をブートストラップ動作により作成する電源作成手段をさらに含み、前記印加電圧決定手段として、インバータのデューティー値を、上アーム電圧不足とならない値に設定するものを採用するのであるから、請求項１６から請求項１８の何れかの作用に加え、インバータの誤動作を防止することができる。
【００７４】
請求項２５のファンモータ制御装置であれば、起動直後からＰＩ制御を行ってインバータのデューティーを変化させるデューティー変更手段をさらに含むのであるから、請求項１６から請求項２４の何れかの作用に加え、起動直後から徐々にデューティーを増加させることに伴って起動時の過電流を防止することができる。
【００７５】
請求項２６のファンモータ制御装置であれば、起動時と通常運転時とでインバータから出力される駆動波形を変更する駆動波形変更手段をさらに含み、前記デューティー変更手段として、駆動波形切替時にインバータのデューティー値を変更するものを採用するのであるから、請求項２５の作用に加え、波形切替時の過電流を防止することができる。
【００７６】
請求項２７のファンモータ制御装置であれば、前記デューティー変更手段として、駆動波形切替時のモータ電流ピーク値が最小となるようにインバータのデューティー値を変更するものを採用するのであるから、請求項２６と同様の作用を達成することができる。
【００７７】
請求項２８のファンモータ制御装置であれば、起動時の回転数に基づいてインバータから出力される駆動波形を決定する駆動波形決定手段をさらに含むのであるから、請求項１６から請求項２７の何れかの作用に加え、安定な制御および振動、騒音の低減を達成することができる。
【００７８】
請求項２９のファンモータ制御装置であれば、ファンモータとしてブラシレスＤＣモータを採用するのであるから、請求項１６から請求項２８の何れかの作用に加え、省エネルギーを達成することができる。
【００７９】
請求項３０のファンモータ制御装置であれば、ファンモータとして空気調和機に含まれるファンを駆動するものを採用するのであるから、空気調和機に適用することにより、請求項１６から請求項２９の何れかと同様の作用を達成することができる。
【００８０】
【発明の実施の形態】
以下、添付図面を参照して、この発明のファンモータ制御方法およびその装置の実施の態様を詳細に説明する。
【００８１】
図１はこの発明のファンモータ制御装置の一実施態様を示すブロック図である。
【００８２】
このファンモータ制御装置は、ＡＣ電源１を整流回路１ａに供給して直流電圧を生成し、この直流電圧をインバータ主回路２ａに印加し、インバータ主回路２ａからの出力波形をブラシレスＤＣモータ３の固定子巻線３ａに供給している。そして、ブラシレスＤＣモータ３の回転子３ｂによってファン３ｃを回転させるようにしている。
【００８３】
また、ブラシレスＤＣモータ３に組み込まれた３つのホールセンサ４から出力される位置信号Ｈｕ、Ｈｖ、Ｈｗを入力として、位置信号の周期に基づいて現在の回転数を算出する回転数演算部５と、インバータ主回路２ａの直流部における電流を検出する電流検出回路６と、現在回転数、および外部から供給される回転数指令ｖ＊を入力として両者の偏差を算出し、偏差に応じたデューティー指令Ｄ＊を出力するとともに、起動時には回転数に応じた起動時デューティー値を演算して出力するデューティー演算部７と、位置信号Ｈｕ、Ｈｖ、Ｈｗおよびデューティー指令Ｄ＊を入力としてゲート信号Ｇｕ、Ｇｖ、Ｇｗ、Ｇｘ、Ｇｙ、Ｇｚを出力する駆動信号作成部８と、検出電流を入力として過電流保護を行い、過電流保護信号を出力する過電流保護回路９と、ゲート信号Ｇｕ、Ｇｖ、Ｇｗ、Ｇｘ、Ｇｙ、Ｇｚを入力として、インバータ主回路２ａの各スイッチング素子のオン、オフを制御するゲートドライブ信号を出力するとともに、過電流保護信号を入力としてゲートドライブ信号の出力を停止するゲートドライブ回路２ｂとを有している。
【００８４】
図２は前記デューティー演算部７における処理の一例を説明するフローチャートである。
【００８５】
ステップＳＰ１において、起動動作中か否かを判定し、起動動作中と判定された場合には、ステップＳＰ２において、起動動作開始時か否かを判定し、起動動作開始時であると判定された場合には、ステップＳＰ３において、回転数に応じた起動時デューティー値を演算する。そして、ステップＳＰ２において起動開始時でないと判定された場合、またはステップＳＰ３の処理が行われた場合には、ステップＳＰ４において、デューティーを起動時デューティー値に設定する。ここで、起動時デューティー値は、外部負荷状態においてもファンモータやインバータ回路素子などに不都合を生じさせることのないようなモータ印加電圧を与えることができるような値に設定される。そして、この起動時デューティー値の演算については、例えば、予めテーブルに回転数に応じたデューティー値を記憶させておき、実際の起動時回転数に基づいてテーブルから対応するデューティー値を読み出して出力させるようにすることが好ましく、所要時間を短縮することができる。
【００８６】
逆に、ステップＳＰ１において起動動作中でないと判定された場合には、ステップＳＰ５において、ＰＩ演算（比例・積分演算）開始時か否かを判定し、ＰＩ演算開始時であると判定された場合には、ステップＳＰ６において、初期値を設定する。そして、ステップＳＰ５においてＰＩ演算開始時でないと判定された場合、またはステップＳＰ６の処理が行われた場合には、ステップＳＰ７において、指令回転数を考慮してＰＩ演算によるデューティー演算を行う。
【００８７】
そして、ステップＳＰ４の処理が行われた場合、またはステップＳＰ７の処理が行われた場合には、設定され、もしくは算出されたデューティーをデューティー指令として駆動信号作成部８に供給する。
【００８８】
上記の構成のファンモータ制御装置の作用は次の通りである。
【００８９】
起動開始時の回転数を回転数演算部５により検出することにより、順風や逆風などの外部負荷が与えられている状態か否かを判定することができる。
【００９０】
そして、外部負荷が与えられている状態であれば、デューティー演算部７において、起動時回転数に応じた起動時デューティーを算出し、デューティー指令Ｄ＊として駆動信号作成部８に供給することにより、ファンモータであるブラシレスＤＣモータ３を確実に起動させることができる。
【００９１】
その後、回転数が増加して起動終了判定回転数よりも大きくなれば、ＰＩ制御を行ってデューティーを算出し、デューティー指令Ｄ＊として駆動信号作成部８に供給することにより、ファンモータであるブラシレスＤＣモータ３を指令回転数で駆動することができる。
【００９２】
上記の実施態様において、所定のモータ印加電圧を与えるためのデューティー値はインバータ主回路２ａの直流電圧値によって変化するのであるから、直流電圧値に基づいてデューティー値を補正することが好ましく、より確実に精度よく起動を行わせることができ、しかもブラシレスＤＣモータ３、インバータ回路素子の保護を行わせることができる。
【００９３】
また、ブラシレスＤＣモータ３が順風によって回転している場合には、その回転数に応じた誘起電圧が発生しているので、起動時のインバータ出力電圧（モータ印加電圧）をこの誘起電圧よりも低い値とすると、回生動作が行われて直流電圧が昇圧され、場合によってはインバータ回路素子あるいはブラシレスＤＣモータの耐電圧を越えてインバータ回路素子破壊やモータ絶縁破壊を引き起こす。
【００９４】
図３は、起動時の回転数が変化した場合に直流電圧昇圧値が０Ｖ、５Ｖ、１０Ｖとなるデューティー値の一例を示す図である。
【００９５】
図３から分かるように、起動時のデューティー値によっては昇圧動作を行う場合があり、また同じデューティー値であれば、回転数が高いほど昇圧値が大きくなる。換言すれば、回転数に応じて起動時のデューティー値、すなわちモータ印加電圧を適切に設定することによって、昇圧値を所定値以内に抑えることが可能になることが分かる。
【００９６】
したがって、上記のような不都合の発生を防止するためには、インバータ出力電圧を昇圧動作を行わないような値、具体的にはモータ誘起電圧よりも大きい電圧に設定すればよい。
【００９７】
しかし、実際の回路構成においては全く昇圧を許さない訳ではなく、使用している回路素子（平滑コンデンサ、スイッチング素子、ドライバハイブリッドＩＣなど）の安全動作領域内に収まるような直流電圧になるようにモータ印加電圧を設定すればよい。ここで、安全動作領域は、図４に示すように、一般に最大定格よりも小さな値となっているので、通常使用時にこの領域内に収まっていれば安全動作を保証することができる。
【００９８】
上述のように、起動時のモータ印加電圧は、インバータ主回路２ａの直流電圧が所定電圧以上には昇圧されない電圧であればよいが、余り大きいモータ印加電圧であれば起動電流値が大きくなってしまうので、インバータ回路素子の過電流保護や過熱保護の観点からはモータ印加電圧を大きくすることは好ましくない。そこで、起動電流が運転時最大電流（最高使用回転数で駆動させた場合の電流値）となる印加電圧を想定し、モータ印加電圧の最大限度の電圧をこの想定印加電圧よりも小さい電圧とすることが好ましく、起動時に大電流が流れることを防止することができる。
【００９９】
また、順風によってある程度の回転数で回っている場合には、外力が加わっていない場合（無風状態）に比べてモータ印加電圧は小さくてもよいはずであるから、モータ印加電圧を無風運転時におけるモータ印加電圧よりも小さくすることが一層好ましい。
【０１００】
上記の実施態様において、インバータ主回路２ａの上アーム駆動用電源（＋側スイッチング素子駆動用電源）を作成する方法の１つとして、ブートストラップ方式を用いる方法が知られている。この方法を採用した場合には、インバータ主回路２ａの下アームのスイッチング素子を所定時間オンすることで上アームのスイッチング素子駆動用の電源を作成するのであるから、下アームのスイッチング素子のオン時間が短いと上アームのスイッチング素子駆動用の電圧が不足し、上アームのスイッチング素子を駆動することができなくなってしまう。
【０１０１】
したがって、このような不都合を防止するためには、上アームのスイッチング素子駆動用の電圧が不足しないようにデューティー値を所定のデューティー値よりも大きく設定して、常に所定の時間以上のオン時間を確保すればよい。
【０１０２】
図５は起動時回転数による起動時のデューティー値の一例を説明する図である。
【０１０３】
図５から分かるように、逆転の場合、または正転で所定回転数以下の場合には、上アームのスイッチング素子駆動用の電圧が不足しないデューティー値、それよりも高い回転数の場合には、例えば、昇圧しないデューティー値、かつ無風時デューティー値よりも小さいデューティー値とすることによって、波形出力を安定して行うことができ、しかも昇圧動作を伴わず、かつ起動電流値も過大とならないような起動を行うことが可能となる。
【０１０４】
また、起動時の昇圧動作、電流増加を許容することができる場合であって、逆転の場合、または正転で所定回転数以下の場合には、上アームのスイッチング素子駆動用の電圧が不足しないデューティー値、それよりも高い回転数の場合には、上アームのスイッチング素子駆動用の電圧が不足しないデューティー値、かつ昇圧値が安全動作領域内となるデューティー値、かつ起動電流値が運転時最大電流値以下となるデューティー値となるようなデューティー値とすればよい。
【０１０５】
なお、逆転で所定回転数以上の場合には、デューティー値を上アームのスイッチング素子駆動用の電圧が不足しないように設定すると、起動時に運転時最大電流値以上の過大な電流が流れてしまう。したがって、このような領域では、インバータ回路素子やファンモータの電流保護、過熱保護の観点から、駆動を行わないようにすることが好ましい。
【０１０６】
さらに、順風によってファンモータが起動時に所定回転数で回転している場合には、安定した起動を行わせるために一定のモータ印加電圧、すなわち一定のデューティー値でブラシレスＤＣモータを起動する必要はなく、起動直後からＰＩ制御を行ってデューティー値を決定してもよい。そして、この場合には、回転数に応じたＰＩ制御の初期デューティー値を決定することになる。
【０１０７】
具体的には、図６に示すように、ステップＳＰ１において、ＰＩ演算開始時か否かを判定し、ＰＩ演算開始時であると判定された場合には、ステップＳＰ２において、回転数に応じた初期デューティー値を演算する。
【０１０８】
そして、ステップＳＰ１においてＰＩ演算開始時でないと判定された場合、またはステップＳＰ２の処理が行われた場合には、ステップＳＰ３において、指令回転数を考慮してＰＩ制御によるデューティー値の演算を行ってデューティー指令を生成し、駆動信号作成部７に供給する。
【０１０９】
この一連の処理を行えば、起動直後から徐々にデューティーを増加させることができるので、起動時の過大な電流を防止することができる。
【０１１０】
また、ファンモータを駆動する場合、起動時は確実に起動を行うことができる１２０度通電を行い、所定回転数以上では低騒音、低振動を図るために１５０度通電波形や正弦波変調波形を採用することがある。このような場合には、起動時の一定デューティー期間と通常運転時のＰＩ制御によるデューティー演算期間とでは、波形とデューティー演算方法とが明確に区別されていた。
【０１１１】
しかし、起動直後からＰＩ制御を行う場合には、上述のようなデューティーの区別ができないのであるから、波形切替時に、例えば通電幅の違いによるモータ印加電圧変化が発生し、一時的な電流増加や急激な加速による騒音発生などの不都合が生じることがあり、極端な場合には、過電流保護がかかってファンモータが停止してしまうことになる。
【０１１２】
図７はこのような不都合を解消させるためのデューティー演算部の処理のさらに他の例を説明するフローチャートである。
【０１１３】
ステップＳＰ１において、ＰＩ演算開始時か否かを判定し、ＰＩ演算開始時であると判定された場合には、ステップＳＰ２において、回転数に応じた初期デューティー値を演算する。
【０１１４】
そして、ステップＳＰ１においてＰＩ演算開始時でないと判定された場合、またはステップＳＰ２の処理が行われた場合には、ステップＳＰ３において、指令回転数を考慮してＰＩ制御によるデューティー値の演算を行ってデューティー指令を生成し、ステップＳＰ４において、波形切替時か否かを判定し、波形切替時であると判定された場合には、ステップＳＰ５において、デューティー値を変更する。
【０１１５】
ステップＳＰ４において波形切替時でないと判定された場合、またはステップＳＰ５の処理が行われた場合には、最終的に得られたデューティー値をデューティー指令として駆動信号作成部７に供給する。
【０１１６】
なお、一度デューティー値を変更した場合は、その変更を次回のＰＩ演算に反映させる必要があるが、これは通常のＰＩ制御原理に沿った手法であるから、図７には示していない。
【０１１７】
このフローチャートの処理を行えば、波形切替時にデューティー値を変更してモータ印加電圧が変化しないようにすることができ、一時的な電流増加、急激な加速による騒音発生を防止することができる。ただし、上記のデューティー値の変更としては、モータ電流のピーク値が最小となるように行うことが好ましい。
【０１１８】
図８は波形切替時にデューティー値を変更した場合｛図８中（ａ）参照｝と変更しなかった場合｛図８中（ｂ）参照｝とにおけるモータ電流変化の例を示す図である。
【０１１９】
図８から分かるように、デューティー値を変更しない場合には、波形切替後にモータ電流が著しく増加しているのに対して、デューティー値を変更することによって、波形切替後におけるモータ電流の増加を大幅に抑制することができる。
【０１２０】
図９は駆動信号作成部における処理の他の例を説明するフローチャートである。
【０１２１】
ステップＳＰ１において、デューティー指令が０か否かを判定し、デューティー指令が０であると判定された場合には、ステップＳＰ２において、停止信号を作成する。
【０１２２】
逆に、ステップＳＰ１においてデューティー指令が０でないと判定された場合には、ステップＳＰ３において、現在の回転数が波形切替回転数よりも大きいか否かを判定し、現在の回転数が波形切替回転数よりも大きいと判定された場合には、ステップＳＰ４において、通常運転時の駆動信号を作成する。逆に、ステップＳＰ３において現在の回転数が波形切替回転数（例えば、通常時波形出力に必要な位置推定が可能となる回転数）よりも大きくないと判定された場合には、ステップＳＰ５において、起動時の駆動信号を作成する。
【０１２３】
そして、ステップＳＰ２の処理が行われた場合、ステップＳＰ４の処理が行われた場合、またはステップＳＰ５の処理が行われた場合には、作成された停止信号または駆動信号をゲートドライブ回路２ｂに供給する。
【０１２４】
このフローチャートの処理を行った場合において、起動時に波形切替回転数よりも大きい回転数で回転していれば、そのまま通常運転時の駆動信号を作成してブラシレスＤＣモータを駆動することにより、振動、騒音を低減することができる。
【０１２５】
逆に、起動時に波形切替回転数以下の回転数で回転している場合、または回転していない場合には、起動時の駆動信号を作成してブラシレスＤＣモータを起動し、その後、波形切替回転数よりも大きい回転数で回転する状態になれば、通常運転時の駆動信号を作成してブラシレスＤＣモータを駆動することができる。
【０１２６】
以上の各実施態様において、ファンモータとしてブラシレスＤＣモータのみならず誘導電動機等のＡＣモータを採用することが可能である。しかし、誘導電動機とブラシレスＤＣモータとのモータ効率は図１０に示すとおりであるから、ファンモータとしてブラシレスＤＣモータを採用することが好ましい。
【０１２７】
【発明の効果】
請求項１の発明は、ファンモータを確実に起動することができるとともに、必要以上に過電圧、過電流が発生することを防止し、外部負荷に対する十分な保護を達成することができるという特有の効果を奏する。
【０１２８】
請求項２の発明は、請求項１と同様の効果を奏する。
【０１２９】
請求項３の発明は、請求項２の効果に加え、より確実に精度よく起動、保護を行うことができるという特有の効果を奏する。
【０１３０】
請求項４の発明は、請求項１から請求項３の何れかの効果に加え、安全動作を確保することができるという特有の効果を奏する。
【０１３１】
請求項５の発明は、請求項４の効果に加え、過電圧を防止することができるという特有の効果を奏する。
【０１３２】
請求項６の発明は、請求項４または請求項５の効果に加え、昇圧動作を防止し、ひいては過電圧を防止することができるという特有の効果を奏する。
【０１３３】
請求項７の発明は、請求項１から請求項３の何れかの効果に加え、起動時に大電流が流れることを防止することができるという特有の効果を奏する。
【０１３４】
請求項８の発明は、請求項７と同様の効果を奏する。
【０１３５】
請求項９の発明は、請求項１から請求項３の何れかの効果に加え、インバータの誤動作を防止することができるという特有の効果を奏する。
【０１３６】
請求項１０の発明は、請求項１から請求項９の何れかの効果に加え、起動直後から徐々にデューティーを増加させることに伴って起動時の過電流を防止することができるという特有の効果を奏する。
【０１３７】
請求項１１の発明は、請求項１０の効果に加え、波形切替時の過電流を防止することができるという特有の効果を奏する。
【０１３８】
請求項１２の発明は、請求項１１と同様の効果を奏する。
【０１３９】
請求項１３の発明は、請求項１から請求項１２の何れかの効果に加え、安定な制御および振動、騒音の低減を達成することができるという特有の効果を奏する。
【０１４０】
請求項１４の発明は、請求項１から請求項１３の何れかの効果に加え、省エネルギーを達成することができるという特有の効果を奏する。
【０１４１】
請求項１５の発明は、空気調和機に適用することにより、請求項１から請求項１４の何れかと同様の効果を奏する。
【０１４２】
請求項１６の発明は、ファンモータを確実に起動することができるとともに、必要以上に過電圧、過電流が発生することを防止し、外部負荷に対する十分な保護を達成することができるという特有の効果を奏する。
【０１４３】
請求項１７の発明は、請求項１６と同様の効果を奏する。
【０１４４】
請求項１８の発明は、請求項１７の効果に加え、より確実に精度よく起動、保護を行うことができるという特有の効果を奏する。
【０１４５】
請求項１９の、請求項１６から請求項１８の何れかの効果に加え、安全動作を確保することができるという特有の効果を奏する。
【０１４６】
請求項２０の発明は、請求項１９の効果に加え、過電圧を防止することができるという特有の効果を奏する。
【０１４７】
請求項２１の発明は、請求項１９または請求項２０の効果に加え、昇圧動作を防止し、ひいては過電圧を防止することができるという特有の効果を奏する。
【０１４８】
請求項２２の発明は、請求項１６から請求項１８の何れかの効果に加え、起動時に大電流が流れることを防止することができるという特有の効果を奏する。
【０１４９】
請求項２３の発明は、請求項２２と同様の効果を奏する。
【０１５０】
請求項２４の発明は、請求項１６から請求項１８の何れかの効果に加え、インバータの誤動作を防止することができるという特有の効果を奏する。
【０１５１】
請求項２５の発明は、請求項１６から請求項２４の何れかの効果に加え、起動直後から徐々にデューティーを増加させることに伴って起動時の過電流を防止することができるという特有の効果を奏する。
【０１５２】
請求項２６の発明は、請求項２５の効果に加え、波形切替時の過電流を防止することができるという特有の効果を奏する。
【０１５３】
請求項２７の発明は、請求項２６と同様の効果を奏する。
【０１５４】
請求項２８の発明は、請求項１６から請求項２７の何れかの効果に加え、安定な制御および振動、騒音の低減を達成することができるという特有の効果を奏する。
【０１５５】
請求項２９の発明は、請求項１６から請求項２８の何れかの効果に加え、省エネルギーを達成することができるという特有の効果を奏する。
【０１５６】
請求項３０の発明は、空気調和機に適用することにより、請求項１６から請求項２９の何れかと同様の効果を奏する。
【図面の簡単な説明】
【図１】この発明のファンモータ制御装置の一実施態様を示すブロック図である。
【図２】デューティー演算部における処理の一例を説明するフローチャートである。
【図３】起動時の回転数が変化した場合に直流電圧昇圧値が０Ｖ、５Ｖ、１０Ｖとなるデューティー値の一例を示す図である。
【図４】安全動作領域を説明する図である。
【図５】起動時回転数による起動時のデューティー値の一例を説明する図である。
【図６】デューティー演算部における処理の他の例を説明するフローチャートである。
【図７】デューティー演算部における処理のさらに他の例を説明するフローチャートである。
【図８】波形切替時にデューティー値を変更した場合と変更しなかった場合とにおけるモータ電流変化の例を示す図である。
【図９】駆動信号作成部における処理の他の例を説明するフローチャートである。
【図１０】誘導電動機とブラシレスＤＣモータとのモータ効率を示す図である。
【図１１】従来のファンモータ制御装置を示すブロック図である。
【図１２】１２０度通電駆動信号の作成を説明する図である。
【図１３】デューティー演算部における処理を説明するフローチャートである。
【図１４】駆動信号作成部における処理を説明するフローチャートである。
【図１５】停止信号の作成を説明する図である。
【符号の説明】
２ａ  インバータ主回路    ２ｂ  ゲートドライブ回路
３  ブラシレスＤＣモータ    ５  回転数演算部
７  デューティー演算部    ８  駆動信号作成部
【図１】
0003603740.tif 000002
【図２】
0003603740.tif 000003
【図３】
0003603740.tif 000004
【図４】
0003603740.tif 000005
【図５】
0003603740.tif 000006
【図６】
0003603740.tif 000007
【図７】
0003603740.tif 000008
【図８】
0003603740.tif 000009
【図９】
0003603740.tif 000010
【図１０】
0003603740.tif 000011
【図１１】
0003603740.tif 000012
【図１２】
0003603740.tif 000013
【図１３】
0003603740.tif 000014
【図１４】
0003603740.tif 000015
【図１５】
0003603740.tif 000016